(57)【要約】      （修正有）【課題】魚釣りに於いて、魚を掛けた場合、水中浮きが移動して魚をたやすく掬える、移動する水中浮きを提供する。【解決手段】本体１と、本体の先端に対して脱着自在に被せられるキャップ３と、本体の凹状の切り込みに取り付ける挟着体とを形成した移動する水中浮きであって、糸が本体の両端を貫通するように、本体とキャップに糸穴を形成し、本体の糸穴２から通された糸を挟着体の切り目に挟み、糸が通されたキャップを本体に被せる事により、挟着体である弾性体４を圧着し、本体は糸に固定されて固定浮きとなり、本体の両端から出された糸を両方に引く事により、糸が挟着体から外れ、本体が遊動状態になる事を特徴とする。【選択図】図１
0003189629.tif 000002
【実用新案登録請求の範囲】
【請求項１】
本体の両端を貫通するように本体の糸穴と脱着自在なキャップ（糸穴）を形成し、空間的に連通する鋏着体を形成した移動する水中浮きであって、前記本体の糸穴から通された、道糸などを前記鋏着体の切り目に挟み、前記糸が通された、前記脱着自在な前記キヤップ（糸穴）を、前記本体に被せることにより、前記挟着体である弾性体を圧着し、前記本体は前記道糸に固定され、固定浮きとなる。
前記本体の両端から出された、前記糸を両方から引くことにより前記糸が前記鋏着体から外れ、前記本体が遊動状態になることを特徴とする、移動する水中浮き。
【請求項２】
前記請求項１の本体に金具を取り付け、本体が自立出来るように施された、請求項１記載の移動する水中浮き。
【請求項３】
前記請求項１のキャップ（糸穴）を金具などで、製作された請求項１記載の移動する水中浮き。
【考案の詳細な説明】
【技術分野】
【０００１】本考案は魚釣りに於いて、魚を掛けた場合、水中浮きが移動して魚をたやすく掬える、水中浮きに係わる。
【背景技術】
【０００２】移動する水中浮きに於いて本考案と同様な働きをする、浮き止めを兼ねた水中浮きがあるが、これはバネの力によって水中浮きを固定又は、遊動する事が出来るが、バネの力が一定であり、ハリスが０，８ミリなどで小物を掛けた場合作動しない事がある。
【先行技術文献】
【０００３】「浮き止めを兼ねた水中浮き」
「登録３１８５０４１」
【考案の概要】
【０００４】先行文献ではバネの力で挟着力を得て、又糸穴を本体に挿入することで本体を固定しているが、本考案では本体に糸穴を被せることで、挟着力を得ようとするものである。
【０００５】本考案では、魚釣りに於いて、浮き下を深くして固定浮きで釣る場合短い手網でも、簡単に魚が掬える事とする構造に係わる。
【本考案が解決しようとする課題】
【０００６】従来、魚釣りに於いて水中浮きを使用する場合水中浮きを爪楊枝などで固定して使用するが、足場が低い場所で浮き下を深くして魚を掛けると、水中浮きが固定の為、リールが巻けなくなる。先行文献の浮き止めを兼ねた水中浮きでも、０、８ミリなどの細いハリスを使用してソフトにやりとりすれば浮止めが作動しない場合がある。
【課題を解決する為の手段】
【０００７】その為にはバネの力で道糸などを挟着する事でなく
【０００８】本体に取り付けられた、挟着体である弾性体の厚みを利用して、脱着自在な糸穴を本体に被せることで弾性体を圧着する事で、道糸などを挟着する事ができる。
【０００９】本体を単に水中浮きとして使用する場合は、糸穴に爪楊枝などを差し込めば良い。
【考案の効果】
【００１０】この事により、足場が低い場所でも、高い場所でも長い手網など必要なくなり、簡単に魚が掬える、又本体を道糸やハリスの、どの位置に取り付けるかで、本体の役割が変わる。
浮きの直下に取り付ければ、浮き止めとなり魚が掛かれば本体は遊動浮きとなる、本体を浮きより離して浮きの下方やハリスに取り付ければ、水中浮きとして使用出来る。
【考案を実施する為の形態】
【００１１】本体を固定から遊動にするには、３つの案が考えられる。
【考案１】
【００１２】空洞された本体（１）の片方には、糸穴（２）が設けてあり、その片方には、弾性体の鋏着体が取りつけられるように凹状の切り込みが施してある、その先端にはキャップが被せられるように、受け口が設けられてある。
【００１３】前記本体（１）の受け口に被せられる為のキャツプ（糸穴３）が設けられてある。
【００１４】前記本体（１）の凹状の切り込みに前記鋏着体である弾性体（４）を取り付ける。
【００１５】前記弾性体（４）には、道糸やハリスを鋏着する為の切り目（５）が施してある。
【００１６】又、前記本体（１）を早く沈める為に複数の穴（６）が施してある。
【考案の効果】
【００１７】この様な構造の移動する水中浮きを使用するには、前記キャップ（糸穴３）を外し、前記本体（１）の糸穴より道糸を通うし、この前記道糸を前記弾性体の切り目（５）に鋏み、外したキャップ（糸穴３）に道糸を通うし、再度キャップ（糸穴３）を前記本体（１）に被せる。
【００１８】この事により、前記本体（１）は道糸に固定となる。
前記本体（１）の両端部から出されている道糸を両方から引くことにより、前記道糸が切り目（５）から外れ前記本体（１）が遊動となり短い手網でも簡単に魚が掬える。
【考案２】
【００１９】考案２では、前記考案１の本体（１）にバネや金属などで重り（９）を取り付けてある。
【００２０】この重りは、本体（１）を早く沈め、本体（１）を自立させる為に取りつけてある。
【００２１】この重り（９）以外は考案１と同じ構造であり、使用方法も同様であることから、本体の構造などは、記載しない。
【考案３】
【００２２】考案３では、考案１のキャップ（糸穴３）を金属（１０）で製作してある、この事により、考案２の重り（９）は必要なくなくなり、キャップ（糸穴１０）が金属である為、水中浮きの自立と共に、浮きの自立も促す。
【００２３】この金属のキャップ（いとあな１０）以外は考案１と同じ構造であり、使用方法も同様であることから、本体の構造などは記載しない。
【図面の簡単な説明】
【００２４】
【図１】図１は本願考案の展開図
【００２５】
【図２】図２は本願考案の正面図
【００２６】
【図３】図３は本願考案の取り付け図
【００２７】
【図４】図４は本願考案２の正面図
【００２８】
【図５】図５は本願考案３の正面図
【符合の説明】
１・・・・本体
２・・・・本体の糸穴
３・・・・キヤップ（糸穴）
４・・・・弾性体
５・・・・弾性体の切り目
６・・・・本体の穴
７・・・・弾性体の厚み
８・・・・道糸等
９・・・・バネ等金属
１０・・金属などのキヤップ
【図１】
0003189629.tif 000003
【図２】
0003189629.tif 000004
【図３】
0003189629.tif 000005
【図４】
0003189629.tif 000006
【図５】
0003189629.tif 000007
【手続補正書】
【提出日】平成25年10月26日(2013.10.26)
【手続補正１】
【補正対象書類名】実用新案登録請求の範囲
【補正対象項目名】全文
【補正方法】変更
【補正の内容】
【実用新案登録請求の範囲】
【請求項１】
本体の両端を貫通するように本体の糸穴と脱着自在な糸穴であるキャップを形成し、空間的に連通する挟着体を形成した移動する水中浮きであって、前記本体の糸穴から通うされた道糸などを前記挟着体の切り目に挟み、前記糸が通うされた前記脱着自在な前記糸穴であるキャップを前記本体に被せる事により、前記挟着体である弾性体を圧着し、前記本体は前記道糸に固定され、固定浮きとなる、前記本体の両端から出された前記糸を両方に引く事により、前記糸が前記挟着体から外れ、前記本体が遊動状態になる事を特徴とする、移動する水中浮き。
【請求項２】
考案２では、前記本体に金属などを取り着け前記本体の自立を促すように施してある、使用方は考案１と同様である、前記本体の糸穴から通うされた糸を、前記挟着体に挟んだ後糸穴である前記キャップを被せることにより、前記糸に前記本体は圧着固定され固定浮きとなる、又本体の両端からだされている前記糸を両方から引く事により前記本体が遊動状態になる事を、特徴とする、移動する水中うき。
【請求項３】
考案３では、脱着自在な糸穴を金属で施してある、この事により必要以上に前記本体が波に流される事を防ぐことが出来る、
使用方は考案１と同様である、前記本体の糸穴から出されている前記糸を前記挟着体に挟み、前記金属の糸穴を前記本体のキャップの受け口に被せ圧着固定する、又前記本体の両端から出されている前記糸を両方から引く事により、前記本体が遊動状態になる事を、特徴ととする、移動する水中浮。
【手続補正書】
【提出日】平成26年1月9日(2014.1.9)
【手続補正１】
【補正対象書類名】実用新案登録請求の範囲
【補正対象項目名】全文
【補正方法】変更
【補正の内容】
【実用新案登録請求の範囲】
【請求項１】
本体と、前記本体の先端に対して脱着自在に被せられるキャップと、前記本体の凹状の切り込みに取り付ける挟着体とを形成した移動する水中浮きであって、糸が本体の両端を貫通するように、前記本体と前記キャップに糸穴を形成し、前記本体の糸穴から通された前記糸を前記挟着体の切り目に挟み、前記糸が通された前記キャップを前記本体に被せる事により、前記挟着体である弾性体を圧着し、前記本体は前記糸に固定されて固定浮きとなり、前記本体の両端から出された前記糸を両方に引く事により、前記糸が前記挟着体から外れ、前記本体が遊動状態になる事を特徴とする、移動する水中浮き。
【請求項２】
前記本体に重りを取りつけたことを特徴とする、請求項１記載の移動する水中浮き。
【請求項３】
前記キャップが金属で製作されたことを特徴とする、請求項１記載の移動する水中浮き。